(57)【特許請求の範囲】
【請求項１】
少なくとも一つの貯蔵区画部を含んだベース部材（１６）を備えた、髭剃りカミソリ用の貯蔵装置（１０）であって、
上方構造（１８）が、前記ベース部材（１６）に重なる位置関係で、前記ベース部材（１６）にヒンジ状に接続されており、
当該上方構造（１８）は、その上向きの外側表面上に髭剃りカミソリ係合構造（２６）を有しており、
前記ベース部材（１６）は、底面壁と、上方に延びる側壁（３２）と、を有しており、それらが前記少なくとも一つの貯蔵区画部を上向きの入口を有するように規定している
ことを特徴とする貯蔵装置（１０）。
【請求項２】
前記上方構造（１８）は、前記少なくとも一つの貯蔵区画部に重なる蓋部を有している
ことを特徴とする請求項１に記載の貯蔵装置（１０）。
【請求項３】
前記上方構造（１８）は、前記ベース部材（１６）の長手方向の略全長に亘って、重なっている
ことを特徴とする請求項１または２に記載の貯蔵装置（１０）。
【請求項４】
前記髭剃りカミソリ係合構造（２６）及び前記蓋部は、前記上方構造（１８）と一体部品である
ことを特徴とする請求項２に記載の貯蔵装置（１０）。
【請求項５】
前記ベース部材（１６）は、面取付け構造を有している
ことを特徴とする請求項１乃至４のいずれかに記載の貯蔵装置（１０）。
【請求項６】
前記ベース部材（１６）は、壁取付け構造を有している
ことを特徴とする請求項１乃至５のいずれかに記載の貯蔵装置（１０）。
【請求項７】
前記ベース部材（１６）は、プラスチックで形成され、複数の貯蔵区画部、及び、その中に形成されて当該貯蔵区画部を提供するディバイダ（３０）、を有している
ことを特徴とする請求項１乃至６のいずれかに記載の貯蔵装置（１０）。
【請求項８】
前記ベース部材（１６）は、プラスチックで形成され、その周縁周りに延びる側壁を有している
ことを特徴とする請求項１乃至７のいずれかに記載の貯蔵装置（１０）。
【請求項９】
前記ベース部材（１６）は、複数の貯蔵区画部、及び、その中に形成されて前記側壁と協働して前記貯蔵区画部を提供するディバイダ（３０）、を有している
ことを特徴とする請求項８に記載の貯蔵装置（１０）。
【請求項１０】
前記上方構造（１８）は、スナップ結合接続（２１）によって、前記ベース部材（１６）にヒンジ状に接続されている
ことを特徴とする請求項１乃至９のいずれかに記載の貯蔵装置（１０）。
【請求項１１】
前記上方構造（１８）は、カミソリ柄部（１５）の一側の輪郭に適合する上昇部分（６２）を有している
ことを特徴とする請求項１乃至１０のいずれかに記載の貯蔵装置（１０）。
【請求項１２】
前記上方構造（１８）は、カミソリ柄部のカミソリヘッド側端部の近くで当該カミソリ柄部（１５）と係合する対向ウイング部（２６）を有している
ことを特徴とする請求項１乃至１１のいずれかに記載の貯蔵装置（１０）。
【請求項１３】
前記上方構造（１８）は、カミソリ柄部のカミソリヘッド側端部の近くで当該カミソリ柄部（１５）と係合する対向柔軟ウイング部（２６）、及び、当該ウイング部の間の支持部分（６２）、を有している
ことを特徴とする請求項１乃至１１のいずれかに記載の貯蔵装置（１０）。
【請求項１４】
前記上方構造（１８）は、前記ベース部材（１６）よりも柔らかいプラスチックで作られている
ことを特徴とする請求項１乃至１３のいずれかに記載の貯蔵装置（１０）。
【請求項１５】
前記上方構造（１８）は、スナップ結合閉鎖部材（２１）と、前記上方構造の開放のために前記上方構造（１８）から延びる指係合用の唇状縁部（２３）と、を有する
ことを特徴とする請求項１乃至１４のいずれかに記載の貯蔵装置（１０）。
【請求項１６】
前記髭剃りカミソリ係合構造（２６）は、カミソリ柄部（１５）の底部と係合するように開口を規定する前記上方構造（１８）の一部を含んでいる
ことを特徴とする請求項１乃至１５のいずれかに記載の貯蔵装置（１０）。
【請求項１７】
前記上方構造（１８）は、前記髭剃りカミソリ係合構造（２６）で支持されるカミソリ柄部（１５）に取り付けられるカートリッジ（１３）にクリアランスを提供するための平坦領域（６４）を有している
ことを特徴とする請求項１乃至１６のいずれかに記載の貯蔵装置（１０）。
【請求項１８】
前記貯蔵区画部の各々は、その閉鎖状態における上方構造（１８）の下面側に向かう開口を有しており、
閉鎖状態において、当該上方構造（１８）は貯蔵区画部の開口に略重なるように存在する
ことを特徴とする請求項１乃至１７のいずれかに記載の貯蔵装置（１０）。
【請求項１９】
被貯蔵ユニット（１３）は、プラスチックハウジングと複数の刃とを有する髭剃りカートリッジであり、前記貯蔵区画部に収容されるようになっている
ことを特徴とする請求項１乃至１８のいずれかに記載の貯蔵装置（１０）。
【請求項２０】
各貯蔵区画部は、前記ベース部材（１６）の上面の凹部である
ことを特徴とする請求項１乃至１９のいずれかに記載の貯蔵装置（１０）。
【発明の詳細な説明】
【発明の詳細な説明】
【０００１】
本発明は、髭剃りカミソリやカートリッジのような物品を貯蔵するための貯蔵装置に関している。
【０００２】
髭剃りカートリッジは、典型的には、複数の髭剃りカートリッジを当該ディスペンサのそれぞれの部分に収容するプラスチックディスペンサの態様で売られている。髭剃りカミソリは、しばしば、浴室においてカミソリを支持するために用いられ得るプラスチックトレイの上に支持された態様で売られている。幾つかのプラスチックトレイは、当該トレイの底部側でカミソリ刃のディスペンサを保持するように設計されている。
【０００３】
一つの特徴において、本発明は、一般に、少なくとも一つの貯蔵区画部を有するベース部材と、それぞれの貯蔵区画部に各々が配置された１以上のシールされたパッケージと、を備えた髭剃りカートリッジ貯蔵装置に特徴を有する。各シールされたパッケージは、プラスチックハウジングと複数の刃とを含む髭剃りカートリッジを収容している。
【０００４】
ある他の特徴において、本発明は、一般に、少なくとも一つの貯蔵区画部を有するベース部材と、それぞれの貯蔵区画部に各々が配置されると共にその中にそれぞれ被貯蔵ユニットを収容する１以上のシールされたパッケージと、を備えたシールパッケージ貯蔵装置に特徴を有する。各区画部は、当該区画部の中にそれぞれパッケージを保持するための保持力を与える。ある特徴において、区画部は、パッケージの対向側部に保持力を提供するための対向部材を有する。ある他の特徴において、各パッケージは、当該開口を取り囲むシール面にて剥離可能なフィルムでシールされている開口を有している。当該フィルムは、シールされたパッケージを貯蔵装置区画部内に保持する保持力よりも大きい剥離力の適用時に、前記シール面から隔離可能である。
【０００５】
本発明の好適な実施の形態は、以下の特徴の１以上を含み得る。好適な実施の形態では、貯蔵装置のベース部材が、水平面や壁に対して、両面接着テープ、吸引カップ、あるいは、壁に取り付けられた横方向取付部材を受容するためのベース部材の開口、のような面取付構造を保持し得る。ベース部材は、プラスチックで形成され、その周縁周りに延びる側壁を有している。ベース部材は、その中に形成されるディバイダを有しており、側壁と協力して複数の区画部を提供している。ディバイダは、各々、当該ディバイダの自由端において平坦部を有しており、当該平坦部は、区画部に保持されたパッケージの一側から延びる唇状縁部を受容している。ディバイダは、また、各々、パッケージの狭い端部を受容するために、底部と自由端との間に形成された畝部を有している。ディバイダは、ベース部材の一側の側壁から他側の側壁まで、部分的にのみ延びており、パッケージの唇状縁部の露出部分を把持するための領域を提供している。ディバイダは、パッケージを保持するための対向部材を有している。対向部材の一方は、パッケージに係合する鋭利部分を有する。対向部材の一方は、バネ撓みを有し得る。ディバイダは、複数の排水開口を有し、側壁は、ベース部材の底部において排水開口を有する。ベース部材は、パッケージを位置決めするために、ディバイダ間に突出部を有する。
【０００６】
他の特徴において、本発明は、一般に、少なくとも一つの貯蔵区画部を有するベース部材と、それぞれの貯蔵区画部に各々が配置された１以上のシールされたパッケージと、ベース部材にヒンジ状に接続されたカバーと、を備えたシールパッケージのための貯蔵装置に特徴を有する。
【０００７】
他の特徴において、本発明は、一般に、髭剃りカミソリのための貯蔵装置に特徴を有する。当該貯蔵装置は、少なくとも一つの貯蔵区画部を有するベース部材と、ベース部材にヒンジ状に接続されたカバーと、を備える。カバーは、その外側面において、髭剃りカミソリの係合構造を有する。
【０００８】
本発明の好適な実施の形態は、１以上の以下の特徴を有し得る。好適な実施の形態において、ベース部材のカバーは、スナップ結合接続によってベース部材にヒンジ状に接続されている。カバーは、カミソリ柄部の底部と係合する開口と、柄部のカミソリヘッド側端部と係合する対向柔軟ウイング部と、を有する。カバーは、カミソリ柄部の一側の輪郭に適合する上昇部分を有している。カバーは、当該カバーに支持される柄部に取り付けられたカートリッジのためのクリアランスを提供するための平坦領域を有している。カバーは、ベース部材よりも柔らかいプラスチックで作られている。カバーは、スナップ結合の閉塞部材と、当該カバーを開けるために当該カバーから延びる指係合用の唇状縁部と、を有する。
【０００９】
本発明の実施の形態は、１以上の以下の利点を含み得る。水や洗剤からそれらを保護するために、シールされた容器に入れられた髭剃りカートリッジは、浴室のシャワー壁に便利に取り付けられ得る貯蔵装置内で貯蔵される。シールされたパッケージは、取り外しの前には確実に保持され、露出する角部にて容易に把持され得る。シールされたパッケージは、通常の利用時に、剥離可能なフィルムが早過ぎに取り外されるという危険無く、貯蔵装置から安全に取り外される。髭剃りカミソリは、カバーを開けるという必要無く、容易な取り外し及び交換のために、便利かつ確実にカバーの外側に取り付けられ得る。排水開口が、装置内に水が集まることを防止する。
【００１０】
本発明の他の利点及び特徴が、本発明の特別な実施の形態についての以下の詳細な説明から、及び、請求の範囲から、明らかである。
【００１１】
図１は、浴室の壁に取り付けられた貯蔵装置を示す斜視図である。
【００１２】
図２は、単一のシールされたパッケージをその中に有する、開放位置での図１の貯蔵装置を示す斜視図である。
【００１３】
図３は、閉鎖位置での図１の装置を示す側方正面図である。
【００１４】
図４は、単一のシールされたパッケージをその中に有するように示された図１の貯蔵装置のベース部材の平面図である。
【００１５】
図５は、図４のベース部材及びシールされたパッケージの、図４の５−５線に沿っての、縦方向断面図である。
【００１６】
図６は、図１の貯蔵装置のカバーを示す、図７の６−６線に沿っての、縦方向断面図である。
【００１７】
図７は、図６のカバーの平面図である。
【００１８】
図８は、部分的に開放された状態での、図２及び図４のシールされたパッケージを示す斜視図である。
【００１９】
図９は、貯蔵装置のベース部材の別の実施の形態のための取付板の斜視図である。
【００２０】
図１０は、図９の取付板の正面図である。
【００２１】
図１１は、図９の取付板上に取付けられる別のベース部材の平面図である。
【００２２】
図１、図２及び図３を参照して、装置１０の外側に支持される髭剃りカミソリ１２、及び、装置１０の内部に貯蔵されるシールパッケージ１４内の交換カートリッジ１３、のための壁取付の貯蔵装置１０が示されている。カートリッジ１３は、各々、プラスチックハウジングと複数の刃を有している。シールされたパッケージ１４は、湿気と洗剤とをパッケージ内部のカートリッジから離しておくために、気密シールを有している。カートリッジ１３は、実質的に平坦では無く、多数の異なる輪郭を伴う複雑な非平坦形状を有している。シールされたパッケージ１４は、それらの輪郭を十分に取り囲み、空気及び湿気の防壁（バリア）として機能する。
【００２３】
貯蔵装置１０は、ＡＢＳで作られたベース部材１６と、ポリプロピレンで作られたカバー１８と、を含んでいる。ベース部材１６は、被取付部材への構造上の一体性を提供するために、堅いプラスチックで作られている。ポリプロピレンは、カバーのための所望の外形を提供し、スナップ結合ヒンジの使用を容易にする。ベース部材１６は、フォームパッドとアクリル系接着剤とで作られた両面接着パッド２４（図３）を介して、壁２２上の浴室タイル２０に接着される。カバー１８は、スナップ結合ヒンジ部材２１を介して、ベース部材１６にヒンジ状に接続されている。カバー１８は、カバー１８を開けることを補助するために、かつ、カバー１８を閉鎖状態に保つのに使われるスナップ（干渉）結合閉鎖機構に打ち勝つのに十分な力を与えるために、指係合用の唇状縁部２３を有している。（あるいは、ラッチ構造が、カバー１８を閉鎖状態に保つのに利用され得る）。髭剃りカミソリ１２の柄部１５の上方部分が、カバー１８の外部表面に形成されたウイング部２６によって係合されている。柄部１５の底部は、カバー１８内の開口２８内に着座している。カミソリ１２は、カバー１８上に乗っている。
【００２４】
図４及び図５を参照して、ベース部材１６は、３つのディバイダ３０を有している。それらは、側壁３２、上方支持部３６及び下方支持部３８と協働して、４つのシールされたパッケージ１４を受容するための区画部を規定している。図４及び図５においては、単一のパッケージ１４が、底部から２番目の区画部に示されている。各ディバイダは、その端部において、平坦な外側面４０を有している。それに対して、パッケージ１４の唇状縁部４３（図５及び図８）が乗っている。図４及び図８に見られるように、唇状縁部４３の２つの側部は、隣接するプラスチックタブ７２において、ディバイダ３０または下方支持部３８を越えて延びており、使用者がパッケージ１４を把持して取り外すためのアクセスを提供している。パッケージの開放の前においては、タブ７２は、実際上、唇状縁部４３の延長部である。各ディバイダ３０及び下方支持部３８の上方面は、パッケージ１４の底部に対して押し付けて、それを次の上方のディバイダ３０の対向する平坦面４４に対して保持する保持部材４２を有している。保持部材４２は、有利には、パッケージ１４のより柔らかいプラスチックに突込む鋭利な端部を有している。保持部材４２及び対向する平坦面４４は、区画部内でパッケージ１４の対向側部に保持力を提供する対向部材として機能する。保持部材４２が堅い間、それらは、あるいは、バネで付勢され得る。各区画部は、また、パッケージ１４の底部を所望位置に壁から離しておく一対の突出部４６を有している（図５）。各ディバイダ３０及び下方支持部３８の上方部分は、排水のための開口４８を有している。平坦面４４は、その外側端部において、シールされたパッケージ１４の端部５４を受容する畝部５２を有している（図５）。ベース部材１６は、また、取り付けられるベース板から延びるピンへの取付を許容するための、あるいは、ネジまたは他の締付具による取付を許容するための、４つの貫通孔５６を有している。ベース部材１６は、底部において、排水開口５７を有している。
【００２５】
図６及び図７を参照して、カバー１８は、カミソリ柄部１５の後方面に一致する傾向がある支持面６０、６２を有している。カミソリ柄部１５は、腋の下や脚部を剃る際の婦人の使用のために設計されている。当該柄部は、米国意匠特許第４０７８５１号に示されている。それは、当該参照によって、ここに組み込まれる。柄部１５の底部は、開口２８に係合され、それによって支持されている。柄部１５の上方部分は、ウイング部２６の間で支持面６２の外側の空間に位置しており、ウイング部２６によって係合されている。平坦部６４が、取り付けられる髭剃りカートリッジ１３の刃ユニットにクリアランスを提供するために、カバー１８の上方端に設けられている。柄部１５の後方面は、カバー１８の外側面にぴったりと適合して、それに近い位置にある。使用者の指が柄部１５の後方面を把持するための空間が不十分であるので、使用者は柄部１５の側部を把持する。
【００２６】
図８を参照して、シールされたパッケージ１４は、プラスチック容器６８と、カートリッジ１３のための貯蔵領域への入口部を覆って閉じるべく容器６８にシールされている剥離可能なカバーシート７０と、を含んでいる。把持タブ７２は、カバーシート７０の剥離を開始するという利用のために、唇状縁部４３の端部においてカバーシート７０の角部に取り付けられている。
【００２７】
使用時において、貯蔵装置１０は、（例えばシャワー内の）壁２２の浴室タイル２０に、両面接着パッド２４のカバー層を取り外して装置１０に圧力を適用して接着剤とタイル表面との間に良好な結合を引き起こすことによって、固定される。使用者は、髭剃り時には、カミソリ１２を取り外し、使用の合間には、それをカバー１８上に貯蔵し得る。カミソリ１２を取り外す時、柄部１５がカミソリの横側部で握られ、支持ウイング部２６を通って外側に滑らされ、開口２８内でその静止位置から上方に持ち上げられる。髭剃りカミソリ１２をカバー１８上に戻す時、柄部１５の底部が開口２８内に置かれ、柄部１５の上方部分がウイング部２６の間に案内されて所定位置に保持される。柄部１５上の髭剃りカートリッジ１３を新しいカートリッジ１３で交換すべき時には、カバー１８が指グリップ２３を係合することによって開けられ、シールされたパッケージ１４が唇状縁部４３に隣接するタブ７２を係合することによって取り外される。カバー１８は、その後、閉じられる。使用者は、その後、カバーシート７０を剥離して開放し（図８）、新しいカートリッジ１３を柄部１５に取り付ける。カバーシート７０は、パッケージを開けるのに必要とされる所定の初期剥離力値を有するシールによって容器６８に取り付けられている。この値は、ベース部材１６のそれぞれの区画部内にパッケージ１４を保持するために保持部材４２によって与えられる保持力の５倍以上（好適には、１０倍以上）である。例えば、初期剥離力は、３−５ポンドであり得る。パッケージ１４の保持力は、１オンスと同程度に小さくあり得る。このため、パッケージ１４は、ベース部材１６からの取り外し時（あるいはその前）に、偶然に開くことは無い。
【００２８】
本発明の他の実施の形態が、請求の範囲における範囲内に存在する。例えば、装置１０は、接着パッド２４の代わりに、吸引カップを介して壁２２に接続され得る。また、貯蔵装置１０は、水平面上の水平位置に取り付けられ得る（あるいは、単純に支持され得る）し、保持ケースとしても利用され得る。
【００２９】
また、壁に貯蔵装置１０を直接的に取り付ける代わりに、図９乃至図１１に示すように、それは壁取付板に取り外し可能に取り付けられ得る。図９乃至図１１を参照して、板１００が、ベース部材１０８の溝状の開口１０６の環状下方部内に受容される拡大ヘッド部１０４を有する柱１０２を有している。柱１０２の細いシャフト部１０９が、溝状の開口１０６の先細状上方部内の所定位置に係止される。板１００上の先細状の羽根状突出部１１０が、柱１０２の位置に開口１０６を案内するために、ベース部材１０８の上方の２つのディバイダ３０の後方側の凹部内に適合している。羽根状突出部１１０は、ベース部材１０８が過度に下方に押し付けられることも防止する。これにより、取り付け中の柱１０２の押しつぶしや故障が回避される。板１００は、また、長方形状の開口１１２を有しており、当該板が壁への取付けの前に貯蔵装置１０内に収容され得るような大きさとなっている。板１００が装置１０内に収容される時、ディバイダ３０が開口１１２を通って突出する。
【図面の簡単な説明】
【００３０】
【図１】図１は、浴室の壁に取り付けられた貯蔵装置を示す斜視図である。
【図２】図２は、単一のシールされたパッケージをその中に有する、開放位置での図１の貯蔵装置を示す斜視図である。
【図３】図３は、閉鎖位置での図１の装置を示す側方正面図である。
【図４】図４は、単一のシールされたパッケージをその中に有するように示された図１の貯蔵装置のベース部材の平面図である。
【図５】図５は、図４のベース部材及びシールされたパッケージの、図４の５−５線に沿っての、縦方向断面図である。
【図６】図６は、図１の貯蔵装置のカバーを示す、図７の６−６線に沿っての、縦方向断面図である。
【図７】図７は、図６のカバーの平面図である。
【図８】図８は、部分的に開放された状態での、図２及び図４のシールされたパッケージを示す斜視図である。
【図９】図９は、貯蔵装置のベース部材の別の実施の形態のための取付板の斜視図である。
【図１０】図１０は、図９の取付板の正面図である。
【図１１】図１１は、図９の取付板上に取付けられる別のベース部材の平面図である。
【図１】
0004898863.tif 000002
【図２】
0004898863.tif 000003
【図３】
0004898863.tif 000004
【図４】
0004898863.tif 000005
【図５】
0004898863.tif 000006
【図６】
0004898863.tif 000007
【図７】
0004898863.tif 000008
【図８】
0004898863.tif 000009
【図９】
0004898863.tif 000010
【図１０】
0004898863.tif 000011
【図１１】
0004898863.tif 000012